(57)【要約】【課題】施工が行いやすい壁材留具を提供する。【解決手段】壁材を壁下地に取り付けるための壁材留具Ａに関する。この壁材留具Ａは前記壁下地に固定される固定部２を備える。この固定部２には前記壁材を保持する保持部１が形成されている。前記固定部２の外周には前記壁下地の表面に当接可能な補助部５３が突設されている。【選択図】図１
2015108239.tif 000002
【特許請求の範囲】
【請求項１】
壁材を壁下地に取り付けるための壁材留具であって、この壁材留具は前記壁下地に固定される固定部を備え、この固定部には前記壁材を保持する保持部が形成され、前記固定部の外周には前記壁下地の表面に当接可能な補助部が突設されて成ることを特徴とする壁材留具。
【請求項２】
前記補助部が前記固定部に一体に形成されて成ることを特徴とする請求項１に記載の壁材留具。
【請求項３】
前記補助部が前記固定部に着脱自在に形成されて成ることを特徴とする請求項１に記載の壁材留具。
【請求項４】
前記補助部が前記固定部の少なくとも下方に突設されて成ることを特徴とする請求項１乃至３のいずれか一項に記載の壁材留具。
【請求項５】
前記固定部は固定具が打入される固定用孔を有し、前記補助部が前記固定用孔の少なくとも下方に突設されて成ることを特徴とする請求項１乃至４のいずれか一項に記載の壁材留具。
【発明の詳細な説明】
【技術分野】
【０００１】
本発明は、窯業系サイディング材等の壁材を施工するために用いられる壁材留具に関する。
【背景技術】
【０００２】
従来より、外壁下地の屋外側に断熱材や外壁材を設けて外張り断熱外壁を形成することが行われている。例えば、特許文献１には、外壁下地の外側に配される断熱材と、断熱材を外壁下地に固定する固定用ビスと、断熱材の厚みを確保するスペーサーと、断熱材の表面側で固定用ビスに嵌装される胴縁ハンガーと、該胴縁ハンガーに固定される胴縁とを備える外張り断熱外壁構造が記載されている。スペーサーはビス挿通孔を有し、断熱材に厚み方向に貫通して配されている。また、胴縁ハンガーはビス挿通孔を有している。固定用ビスは、胴縁ハンガーのビス挿通孔及びスペーサーのビス挿通孔を挿通して外壁下地にビス止めされて、断熱材を外壁下地に固定している。そして、胴縁ハンガーに固定される胴縁に金具を取り付け、この金具に外壁材を取り付けるようにしている。
【先行技術文献】
【特許文献】
【０００３】
【特許文献１】特開２００４−８４２４４号公報
【発明の概要】
【発明が解決しようとする課題】
【０００４】
しかし、上記の従来例では、断熱材の厚みが異なると、その長さに応じてスペーサーの長さを変更しなければならず、また、スペーサーを断熱材に差し込んで配設しなければならず、施工が行いにくいという問題があった。
【０００５】
本発明は上記の点に鑑みてなされたものであり、施工が行いやすい壁材留具を提供することを目的とするものである。
【課題を解決するための手段】
【０００６】
本発明に係る壁材留具は、壁材を壁下地に取り付けるための壁材留具であって、この壁材留具は前記壁下地に固定される固定部を備え、この固定部には前記壁材を保持する保持部が形成され、前記固定部の外周には前記壁下地の表面に当接可能な補助部が突設されて成ることを特徴とするものである。
【０００７】
本発明にあっては、前記補助部が前記固定部に一体に形成されていることが好ましい。
【０００８】
本発明にあっては、前記補助部が前記固定部に着脱自在に形成されていることが好ましい。
【０００９】
本発明にあっては、前記補助部が前記固定部の少なくとも下方に突設されていることが好ましい。
【００１０】
本発明にあっては、前記固定部は固定具が打入される固定用孔を有し、前記補助部が前記固定用孔の少なくとも下方に突設されていることが好ましい。
【発明の効果】
【００１１】
本発明は、壁下地の表面に補助部を当接した状態で固定部を壁下地に固定することができ、壁下地の厚みに影響されることなく取り付けることができると共に、壁下地に差し込むような施工もなくなって、施工を容易に行うことができるものである。
【図面の簡単な説明】
【００１２】
【図１】本発明の実施の形態の一例を示し、（ａ）は正面図、（ｂ）は側面図、（ｃ）は（ａ）におけるＡ−Ａ‘断面図、（ｄ）は（ａ）におけるＢ−Ｂ‘断面図である。
【図２】同上の留具本体の一例を示し、（ａ）は正面図、（ｂ）は側面図、（ｃ）は（ａ）におけるＡ−Ａ‘断面図、（ｄ）は（ａ）におけるＢ−Ｂ‘断面図である。
【図３】同上の台座プレートの一例を示し、（ａ）は正面図、（ｂ）は側面図である。
【図４】本発明を外壁構造の一例を示す断面図である。
【図５】本発明を用いた外壁構造の一例を示す斜視図である。
【図６】本発明の他の実施の形態の一例を示す正面図である。
【図７】同上の他の台座プレートの一例を示し、（ａ）は正面図、（ｂ）は側面図である。
【図８】本発明を用いた他の外壁構造の一例を示す斜視図である。
【発明を実施するための形態】
【００１３】
以下、本発明の実施の形態を説明する。
【００１４】
本発明に係る壁材留具Ａは、留具本体４０と台座プレート５０とを備えて形成されている。留具本体４０は壁材留具Ａを壁下地１５に固定するための固定部２や壁材１２を保持するための保持部１を具備している。台座プレート５０は壁下地１５の表面に当接可能な補助部５３を具備している。
【００１５】
図２（ａ）〜（ｄ）に示すように留具本体４０は、固定部２と、当接片３と、第一支持片４と、第二支持片５と、突出片６と、内向き片７と、外向き片８とを備えて形成されている。留具本体４０は、鋼板等の金属板を適宜切断したり折り曲げたりして加工することによって得ることができる。当接片３、第一支持片４、第二支持片５、突出片６、内向き片７、外向き片８は、固定部２の一部を切り起こして形成することができる。保持部１は、当接片３と第一支持片４と第二支持片５とから構成されている。
【００１６】
固定部２は、図４に示すように建物の壁下地１５に固定されるものである。固定部２には、固定用孔１０が設けられている。図４に示すように固定用孔１０に、釘、ビス、ネジ等の固定具１６を差し込んで壁下地１５に打ち付けることによって固定部２を固定することができる。固定部２の第一側端部２ａには第一リブ１７が設けられている。第一リブ１７は、第一斜面１７ａ及び第二斜面１７ｂで形成されている。第一リブ１７は、固定部２の上下方向の略全長に亘って、第一斜面１７ａ及び第二斜面１７ｂの境界部分で前方に突出するように屈曲して断面略Ｌ字状に形成されている。固定部２の第二側端部２ｂには、上下方向の略全長に亘って前方に突出するように屈曲して断面略Ｃ字状に形成された第二リブ１８が形成されている。第一リブ１７及び第二リブ１８によって留具本体４０の強度が高められる。固定用孔１０は複数設けることができるが、少なくとも１つの固定用孔１０ａは、第一リブ１７と当接片３の間に設けられている。この固定用孔１０ａは固定部２の上下方向の略中央に設けられ、固定用孔１０ａの上下両側には、強度を高めるため、第一リブ１７の第二斜面１７ｂから当接片３に至るまで左右方向に第三リブ２０が前方に突出して形成されている。その他の固定用孔１０ｂは第一リブ１７の第一斜面１７ａに複数設けられている。さらに、図２のように、固定部２には連結孔４２が設けられている。連結孔４２は上側の第三リブ２０と上側の突出片６との間に設けられている。また連結孔４２は下側の第三リブ２０と下側の突出片６との間にも設けられている。連結孔４２は固定部２を表裏に貫通するように設けられている。
【００１７】
当接片３は、固定部２の左右方向の略中央から前方に突出して設けられている。当接片３は、固定部２の略左半分（第二側端部２ｂ側の略半分）を切り起こして形成されているので、当接片３と第二側端部２ｂの間には開口部１９が形成されている。当接片３の中央部には凸部２２が形成されている。凸部２２は、第一側端部２ａ側に突出し、第一側端部２ａ側の面が略平面となっている。凸部２２はリブとして機能し、特に当接片３の強度を高めることができる。図２（ｃ）に示すように、凸部２２には、倒Ｕ字状のスリットが形成され、この内側に受止片２４が形成されている。受止片２４は、先端を前方に向け、凸部２２の表面より突出するようにわずかに傾斜して設けられている。
【００１８】
第一支持片４は、当接片３の前端から第一側端部２ａ側に向かって突出して設けられ、第一側端部２ａの前側に取り付けられる壁材１２を支持するものである。第一支持片４は、分断することなく、当接片３の上下方向の略全長に亘って連続して設けられている。第一支持片４の固定用孔１０ａに対応する位置において、第一支持片４の少なくとも基部を残して欠損部１１が設けられている。例えば、図２（ａ）に示す欠損部１１は、第一支持片４の先端を切り欠いて当接片３の前端には至らないように設けられている。より具体的にはこの欠損部１１は、第一支持片４の先端を略半円状に切り欠いて上下両側にＲを付けて形成されているが、このような形状に限定されるものではない。すなわち、図示省略しているが、欠損部１１は、第一支持片４の先端部及び基部を残して円形等の貫通孔として設けてもよい。欠損部１１は、固定用孔１０ａに固定具１６を差し込む場合に、第一支持片４が固定具１６の差し込みの障害とならないように、固定具１６の差し込みを容易にするためのものである。当接片３の前端の上下方向の両端において、当接片３と第一支持片４との境界部分には、強度を高めるため、第五リブ２６が第一側端部２ａ側に突出して形成されている。
【００１９】
第二支持片５は、当接片３の前端から第二側端部２ｂ側に向かって突出して設けられ、第二側端部２ｂの前側に取り付けられる壁材１２を支持するものである。第二支持片５は、２つに分断して設けられているが、第一支持片４と同様に連続して設けられていてもよい。
【００２０】
突出片６は、当接片３の突出長さよりも短い長さとなるように、固定部２の上下両端から前方に突出して設けられている。突出片６によって、図４に示すように壁材１２と壁下地１５との間に通気スペース２８を形成することができる。
【００２１】
内向き片７は、突出片６の前端から固定部２と略平行に、かつ固定部２の開口部１９側（内側）に延出して設けられている。突出片６において内向き片７は、当接片３よりも開口部１９側に設けられ、上下両側の突出片６に設けられた内向き片７の端縁を当接片３の上端部及び下端部に当接して当接片３を支持している。このように、当接片３に対して略垂直な内向き片７で当接片３を支持することによって、第一側端部２ａの前側に配置された壁材１２の荷重が当接片３に掛かっても、当接片３が変形しにくくなり、壁材１２のがたつきを抑制することができるものである。
【００２２】
外向き片８は、突出片６の前端から固定部２と略平行に、かつ固定部２の開口部１９と反対側（外側）に延出して設けられている。突出片６において外向き片８は、内向き片７の左右に互い違いとなるように設けられている。このように、突出片６に内向き片７及び外向き片８が互い違いに設けられていることによって、突出片６の変形を抑制することができるものである。特に、図２（ｂ）に示すように、突出片６において当接片３の位置から外向き片８の位置に至るまで補強用リブ９が外側に突出して形成されていることが好ましい。このように補強用リブ９が形成されていると、突出片６の変形をさらに抑制することができるものである。
【００２３】
図３（ａ）（ｂ）に、台座プレート５０の一例を示す。台座プレート５０は、鋼板等の金属板を適宜切断したりして加工することによって得ることができる。台座プレート５０は平板に形成されるものであって、正面視で矩形に形成することができる。台座プレート５０には固定用孔５１が設けられている。固定用孔５１は台座プレート５０の表裏に貫通するように形成されている。また固定用孔５１は台座プレート５０の上下方向の略中央部に形成されている。また固定用孔５１は台座プレート５０の左右方向の略中央部よりも一方の側端部の方にずれて形成されている。台座プレート５０には連結孔５２が設けられている。連結孔５２は台座プレート５０の表裏に貫通するように形成されている。また連結孔５２は固定用孔５１の上側（鉛直上側）と下側（鉛直下側）に一個ずつ形成されている。
【００２４】
そして、図１に示す留具本体４０と台座プレート５０とを用いて壁材留具Ａを形成するにあたっては、次のようにして行う。まず、留具本体４０の固定部２の背面側（裏面側）に台座プレート５０を配置する。このとき、留具本体４０の固定用孔１０ａと台座プレート５０の固定用孔５１とを位置合わせする。また留具本体４０の連結孔４２と台座プレート５０の連結孔５２とを一個ずつ位置合わせする。次に、前後に重なった連結孔４２、５２にリベット等の固定具６０を挿通し、かしめなどの締結を行う。これにより、留具本体４０と台座プレート５０とを容易に分離しないように一体化して壁材留具Ａを形成することができる。このように形成される壁材留具Ａは留具本体４０の固定部２と台座プレート５０の補助部５３とが容易に分離しないように一体化されている。ここで、正面視において、台座プレート５０は留具本体４０よりも大きく形成されているため、台座プレート５０の周端部が留具本体４０の外周端縁よりも外側に突出することになる。留具本体４０の外周端縁から台座プレート５０の周端縁までの間に位置する台座プレート５０の周端部が補助部５３として形成されるものである。図１における壁材留具Ａでは、留具本体４０の全周にわたって補助部５３が突設されているが、これに限定されるものではない。補助部５３は少なくとも固定部２の下方に突出して設けられていればよい。これにより、補助部５３を固定部２の上方や側方に設ける場合に比べて、留具本体４０に掛かる荷重を補助部５３に分散させやすくなる。さらに、補助部５３は少なくとも固定用孔１０ａ、１０ｂの下方（略鉛直下方）に突出して設けられていればよい。これにより、補助部５３を固定用孔１０ａ、１０ｂの下方からずれて設ける場合に比べて、留具本体４０に掛かる荷重を補助部５３にさらに分散させやすくなる。さらに固定部２の背面側の全体に台座プレート５０を配置することによって、固定部２を補強することができる。従って、固定部２の固定用孔１０ａ、１０ｂに固定具１６を打入する場合などにおいて、固定部２の変形を抑えることができるものである。
【００２５】
図４に、上記の壁材留具Ａを用いた外壁構造を示す。
【００２６】
壁材１２としては、矩形状のものを用いることができる。壁材１２は、一方の側端の略全長に側方へ開口する係合凹所１３を設け、他方の側端の略全長に側方へ突出する係合凸部１４を設けて形成されている。係合凹所１３の前方には前凸部２９が設けられ、係合凹所１３の後方には後凸部３０が設けられている。係合凹所１３の端面からの突出長さは、前凸部２９が長く、後凸部３０が短い。係合凸部１４の前方には段差部３１が設けられている。
【００２７】
壁下地１５に固定された壁材留具Ａには隣接する壁材１２ａ、１２ｂが保持されている。この場合、まず、壁材留具Ａを第二側端部２ｂ側から壁材１２ａの係合凸部１４側の側端部に近づけ、第二支持片５と突出片６との間にこの壁材１２ａの係合凸部１４を被挿し、第二支持片５を係合凸部１４に引っ掛けて係合する。また、係合凸部１４の前面１４ａの側端部付近と第二支持片５との間には隙間が形成されるようにしている。これにより、壁材１２ａに外力が作用しても、係合凸部１４の根元付近が第二支持片５の先端付近で動きが規制されて外力を受けることとなり、壁材１２ａの側端部の支持部分である係合凸部１４に発生する力のモーメントをできる限り小さくすることができる。そのため壁材１２ａの特に係合凸部１４が欠損しにくくなる。また、壁材１２ａには上記のようにして複数の壁材留具Ａを所定の間隔を介して上下方向に沿って配設することができる。
【００２８】
次に、施工手順の一例を示す。図５に示すように、壁材留具Ａを取り付けた壁材１２ａを壁下地１５の表面（屋外面）に配置し、この状態で壁材留具Ａを壁下地１５に固定する。この場合、台座プレート５０の背面（留具本体４０と反対側の面）の略全面を壁下地１５の表面に接触させる。また、釘やビスなどの固定具１６を留具本体４０の固定用孔１０ａ、１０ｂに前方から挿入し、固定具１６を壁下地１５にまで打ち込むことによって、固定部２を壁下地１５に固定する。ここで、固定具１６は台座プレート５０の固定用孔５１にも挿通されるので、固定具１６で台座プレート５０も固定することができる。上記の壁下地１５は、躯体部１５ａと、躯体部１５ａの表面に設けた表層部１５ｂとから構成されている。躯体部１５ａは軽量コンクリート壁や木造軸組などを例示することができる。表層部１５ｂは石膏ボード、合板、軽量気泡コンクリート板（ＡＬＣ板）、断熱材などを例示することができる。断熱材としては、ウレタンやフェノールやスチレン等を用いた合成樹脂発泡材、グラスウールやロックウール等の無機繊維材からなる無機質断熱板などを例示することができる。このような断熱材は一般的に石膏ボードや合板に比べて柔らかくて剛性が低いため、局所的に荷重がかかると破損しやすい。従って、上記の壁材留具Ａでは固定部２よりも表層部１５ｂへの接触面積を大きくした台座プレート５０を備えることにより、固定具１６を打ち込むときなどに表層部１５ｂへ掛かる圧力を緩和し、表層部１５ｂの破損を軽減することができるものである。尚、固定具１６は躯体部１５ａにまで打ち込むのが好ましい。なお、予め表層部１５ｂの表面側に壁材１２を接着等により一体化したパネルを躯体部１５ａに取り付けるようにしてもよい。
【００２９】
次に、壁下地１５に固定した壁材留具Ａに上記壁材１２ａとは別の壁材１２ｂを保持させる。この場合、壁材留具Ａの第一側端部２ａ側から壁材１２ｂの係合凹所１３側の側端部を近づけ、前凸部２９を第一支持片４及び第二支持片５よりも前方に配置しながら、後凸部３０を第一支持片４と突出片６との間に挿入し、第一支持片４を係合凹所１３に挿入して係合する。これにより、壁材１２ｂの前凸部２９の下面が、壁材１２ａの段差部３１の端面に近接又は接触し、前凸部２９によって壁材留具Ａの第一支持片４及び第二支持片５が覆い隠される。また、係合凹所１３の後面１３ａの端部付近と第一支持片４との間には隙間が形成されるようにしている。これにより、壁材１２ｂに外力が作用しても、後凸部３０の根元付近が第一支持片４の先端付近で動きが規制されて外力を受けることとなり、壁材１２ｂの側端部の支持部分である後凸部３０に発生する力のモーメントをできる限り小さくすることができる。そのため壁材１２ｂの特に後凸部３０が欠損しにくくなる。また第一支持片４は、当接片３の略全長において分断されることなく連続して設けられていることによって、壁材１２ｂを保持する保持範囲が広くなるため、壁材１２ｂを建物の壁下地１５に強固に取り付けることができるものである。
【００３０】
そして、上記のようにして左右方向に隣接する壁材１２ａ、１２ｂを接続しながら複数枚の壁材１２を順次施工していくことによって、縦張りにより外壁を形成することができる。この外壁では、固定部２よりも表層部１５ｂへの接触面積を大きくした台座プレート５０を備える壁材留具Ａを用いることにより、固定具１６を打ち込むときなどに表層部１５ｂへ掛かる圧力を軽減することができ、表層部１５ｂの破損をすくなくすることができる。特に、壁下地１５が局所的な衝撃により座屈の可能性がある断熱材などの場合に有効である。また、壁下地１５の表面に補助部５３を当接した状態で固定部２を壁下地１５に固定することができ、壁下地１５の厚みに影響されることなく取り付けることができると共に、壁下地１５に差し込むような施工もなくなって、施工を容易に行うことができる。
【００３１】
図６に壁材留具Ａの他の実施の形態の一例を示す。この壁材留具Ａでは留具本体４０と台座プレート５０とが着脱自在に形成されている。留具本体４０は図２に示すものと同様に形成されている。台座プレート５０は鋼板等の金属板を適宜切断したりして加工することによって得ることができる。図７に示すように、台座プレート５０は略平板に形成されるものであって、正面視で矩形に形成することができる。台座プレート５０には固定用孔５１が設けられている。固定用孔５１は台座プレート５０の表裏に貫通するように形成されている。また固定用孔５１は台座プレート５０の上下方向の略中央部に形成されている。また固定用孔５１は台座プレート５０の左右方向の略中央部よりも一方の側端部（以下、第一側端部５０ａという）の方にずれて形成されている。台座プレート５０の第一側端部５０ａの端面には打撃部５４が設けられている。打撃部５４は台座プレート５０の前側に向かって突出するように屈曲形成されている。また、打撃部５４は第一側端部５０ａの上端と下端に一つずつ形成されている。
【００３２】
第一側端部５０ａには上下一対の第一係合片５５が設けられている。第一係合片５５は台座プレート５０の表面に切り起こしにより形成されている。上側の第一係合片５５は上側の打撃部５４と固定用孔５１との間に設けられている。また下側の第一係合片５５は下側の打撃部５４と固定用孔５１との間に設けられている。第一係合片５５は第一側端部５０ａと反対側の側端部（以下、第二側端部５０ｂという）の方に向かって突出されている。台座プレート５０の第二側端部５０ｂには上下一対の第二係合片５６が設けられている。第二係合片５６は台座プレート５０の表面に切り起こしにより形成されている。上側の第二係合片５６は上側の第一係合片５５と同じ高さ位置に設けられている。また下側の第二係合片５６は下側の第一係合片５５と同じ高さ位置に設けられている。第二係合片５６は外側方（第一側端部５０ａと反対側の方向）に向かって突出されている。また第二係合片５６の先端部の裏面には突起５８が設けられている。さらに台座プレート５０には突条部５７が設けられている。突条部５７は固定用孔５１と第二係合片５６の間において上下方向に長く形成されている。突条部５７は台座プレート５０の表面に突出して形成されており、台座プレート５０を補強するものである。
【００３３】
そして、留具本体４０を台座プレート５０の表面側に取り付けて壁材留具Ａを形成することができる。この場合、留具本体４０の第一側端部２ａは台座プレート５０と第一係合片５５との間に差し込まれて第一係合片５５に係合される。留具本体４０の第二側端部２ｂは台座プレート５０と第二係合片５６との間に差し込まれて第二係合片５６に係合される。ここで、第二係合片５６は留具本体４０の開口部１９の内側から外側に向かって差し込まれる。また突起５８は第二リブ１８を乗り越えて第二リブ１８の縁部に係止されている。このとき、打撃部５４をハンマー等で打撃することにより、留具本体４０を第一係合片５５と第二係合片５６に係合させやすくなる。このように形成される壁材留具Ａは留具本体４０の固定部２と台座プレート５０の補助部５３とが着脱自在に形成されている。
【００３４】
このように形成される壁材留具Ａは、図１に示すものと同様に用いて壁材１２を施工することができ、図１に示すものと同様の効果を奏するものである。また、図６に示す壁材留具Ａでは、留具本体４０と台座プレート５０とが着脱自在に形成されているため、台座プレート５０を取り外した留具本体４０だけでも、壁材１２の施工に用いることができる。例えば、図８に示すように、壁下地１５の表面に段差６１がある場合、壁材１２と壁下地１５の表面の隙間が大きい箇所では、留具本体４０と台座プレート５０とを接合した状態で施工し、壁材１２と壁下地１５の表面の隙間が小さい箇所では、台座プレート５０から留具本体４０を取り外した状態で施工する。このようにして壁下地１５の表面の不陸を吸収することができ、施工後の壁材１２の表面に壁下地１５の不陸の影響を生じにくくすることができる。尚、台座プレート５０を取り外して留具本体４０を壁下地１５の表面に固定する場合は、留具本体４０の固定部２の背面を壁下地１５の表面に接触させた状態で固定用孔５１に固定具１６を壁下地１５にまで打ち込むようにする。
【００３５】
本発明の壁材留具Ａは壁材１２を横張りにする場合にも用いることができる。この場合、当接片３が略水平となり、第一支持片４が当接片３から上方に向いて突出し、第二支持片５が当接片３から下方に向いて突出する状態で壁材留具Ａを壁下地１５に固定して使用することができる。
【符号の説明】
【００３６】
Ａ  壁材留具
１  保持部
２  固定部
１０  固定用孔
１５  壁下地
５３  補助部
【図１】
2015108239.tif 000003
【図２】
2015108239.tif 000004
【図３】
2015108239.tif 000005
【図４】
2015108239.tif 000006
【図５】
2015108239.tif 000007
【図６】
2015108239.tif 000008
【図７】
2015108239.tif 000009
【図８】
2015108239.tif 000010